(57)【要約】【課題】身体を安定した姿勢で支えることができるとともに、良好なフィット性を得ることができるクッションを提供する。【解決手段】  その内部に充填物１２を詰め込んで細長い棒状に形成されたクッション本体１０と、このクッション本体１０を収容する袋状に形成されたクッションカバー２０とを具備しており、クッション本体１０をその両側半部１０ａ，１０ａが互いに対向するようにクッションカバー２０内に収容させて、クッションカバー２０内のクッション本体１０の両側半部１０ａ，１０ａ間に空洞部Ｓを形成させた。【選択図】      図１
2006055492.tif 000002
【特許請求の範囲】
【請求項１】
その内部に充填物を詰め込んで細長い棒状に形成されたクッション本体と、このクッション本体を収容する袋状に形成されたクッションカバーとを具備しており、前記クッション本体をその両側半部が互いに対向するように前記クッションカバー内に収容させて、クッションカバー内のクッション本体の両側半部間に空洞部を形成させたことを特徴とするクッション。
【請求項２】
前記クッション本体は、Ｕ字形状或いはＶ字形状又はＣ字形状若しくはＯ字形状に屈曲してクッションカバー内に収容されることを特徴とする請求項１記載のクッション。
【請求項３】
前記クッション本体は、長手方向に２分割して互いに略平行に対向するようにクッションカバー内に収容されることを特徴とする請求項１記載のクッション。
【請求項４】
前記クッションカバーに前記クッション本体を出し入れできる開口部を設け、この開口部に開閉手段を設けたことを特徴とする請求項１乃至請求項３のいずれかに記載のクッション。
【請求項５】
前記クッションカバーに幅寸法を調整する幅調整手段を設けたことを特徴とする請求項１乃至請求項４のいずれかに記載のクッション。
【発明の詳細な説明】
【技術分野】
【０００１】
本発明は、例えば、床に寝転んで本を読んだり、テレビを見たりする際に身体を支えるために利用されるクッションに関するものである。
【背景技術】
【０００２】
例えば、床に寝転んで本を読んだり、テレビを見たりする際、寝心地を良くするため、従来からクッションが用いられている。
【０００３】
従来から用いられているクッションは、袋状に形成された布袋の内部に、例えば天然綿、合成繊維綿等の充填物を詰め込んで封入することにより構成されている。こうしたクッションにおいては、身体を寄りかからせた際に、充填物により身体の適所を支えるようになっている。
【発明の開示】
【発明が解決しようとする課題】
【０００４】
しかしながら、従来のクッションは、単に布袋の内部に充填物を詰め込んだにすぎない構成であるため、硬さが軟らかいクッションでは、身体が深く沈み込んで寝づらい姿勢となり、この寝づらい姿勢を長時間続けていると、かえって身体が疲れることがあるという問題がある。かといって、硬さが硬いクッションでは、身体の沈み込みは防止できるが、身体にフィットし難く、長時間使用していると、身体に苦痛を覚えることがあるという問題がある。
【０００５】
そこで、本発明の目的は、上記の問題を解消して、身体を安定した姿勢で支えることができるとともに、良好なフィット性を得ることができるクッションを提供することにある。
【課題を解決するための手段】
【０００６】
上記目的を達成するため、本発明のクッションは、その内部に充填物を詰め込んで細長い棒状に形成されたクッション本体と、このクッション本体を収容する袋状に形成されたクッションカバーとを具備しており、前記クッション本体をその両側半部が互いに対向するように前記クッションカバー内に収容させて、クッションカバー内のクッション本体の両側半部間に空洞部を形成させたことを特徴としている。
【０００７】
好ましい実施の形態において、前記クッション本体は、Ｕ字形状或いはＶ字形状又はＣ字形状若しくはＯ字形状に屈曲してクッションカバー内に収容される。または、前記クッション本体は、長手方向に２分割して互いに略平行に対向するようにクッションカバー内に収容される。
【０００８】
この構成のクッションによれば、使用者が空洞部上に身体を寄りかからせると、使用者の体重によりクッションカバーの上位側の布地が下方に沈み込み、これに伴いクッション本体が圧縮変形されることにより、使用者の身体がクッションカバーを介してクッション本体により支えられるとともに、クッションカバーの上位側の布地の張力によりクッションカバー内のクッション本体の両側半部が内側に向かって引き寄せられるので、クッション本体の両側半部を身体に押し付ける作用があり、クッション本体の両側方部を身体にフィットさせることができる。従って、使用者の身体を安定した姿勢で支えることができるとともに、使用者の身体に対して良好なフィット性を得ることができる。
【０００９】
また、本発明のクッションは、前記クッションカバーに前記クッション本体を出し入れできる開口部を設け、この開口部に開閉手段を設けたことを特徴としている。
【００１０】
この構成のクッションによれば、クッションカバーの開口部に設けた開閉手段を開閉して簡単にクッション本体を出し入れすることができるので、クッションカバーを容易に洗濯できて常に清潔を保つことができる。
【００１１】
更に、本発明のクッションは、前記クッションカバーに幅寸法を調整する幅調整手段を設けたことを特徴としている。
【００１２】
この構成のクッションによれば、クッションの幅寸法を幅調整手段により自由に調整することができるので、使用者の身体の大きさに応じて幅寸法を調整することが可能である。
【発明の効果】
【００１３】
本発明のクッションは、以上に述べたように、身体を安定した姿勢で支えることができるとともに、良好なフィット性を得ることができるので、長時間使用しても、身体が疲れたり、身体に苦痛を覚えることがなくなる。
【発明を実施するための最良の形態】
【００１４】
以下に本発明の実施の形態を図面に基づいて説明する。
【００１５】
図１乃至図３は本発明の一実施形態に係るクッションを示す図面、図１はクッションの斜視図、図２はその分解斜視図、図３は断面図である。
【００１６】
図１乃至図３に示すように、本発明のクッションＡは、細長い丸棒状に形成されたクッション本体１０と、馬蹄形状をなす袋状に形成されたクッションカバー２０とを具備しており、クッションカバー２０内にクッション本体１０をＵ字形状に屈曲して収容することにより構成されている。本発明のクッションＡは、クッションカバー２０内にクッション本体１０をＵ字形状に屈曲して収容することにより、クッションカバー２０内のクッション本体１０の対向する両側半部１０ａ，１０ａ間に空洞部Ｓを形成してある。
【００１７】
クッション本体１０は、所望の直径と長さを有する細長い袋状に形成された布袋１１の内部に、例えば天然綿又は合成繊維綿等の充填物１２を詰め込んで密封させることにより細長い丸棒状に形成し、適度のクッション性を有するようにしてある。このクッション本体１０の硬さは、充填物１２の材質や詰め込み量を加減することにより調節することができる。
【００１８】
クッションカバー２０は、天然繊維、合成繊維等の布地を縫製して馬蹄状形をなす袋状に形成したもので、その一辺（実施形態においては図中下辺）にクッション本体１０を収容するための開口部２１を設け、この開口部２１からクッション本体１０を収容することができる。
【００１９】
クッションカバー２０は、開口部２１に閉塞手段として例えばスライドファスナー２２を設け、このスライドファスナー２２により開口部２１を開閉可能に構成している。かかる構成において、クッションカバー２０は、スライドファスナー２２を外して開口部２１を開放し、その開放した開口部２１からクッション本体１０を収容する。クッション本体１０を収容した後は、スライドファスナー２２を留めて開口部２１を閉止することによりクッション本体１０を封入する。
【００２０】
クッションカバー２０は、図３及び図４に示すように、下位側の布地２０ａの外面に１本の雄型面状ファスナー２３と、該雄型面状ファスナー２３とお互いに係合する複数本（実施形態においては３本）の雌型面状ファスナー２４とを所定の間隔を施して並列に配設させており、雄型面状ファスナー２３と複数本の雌型面状ファスナー２４のいずれかとを選択的に係合させる幅調整手段２５を形成している。かかる構成において、幅調整機構２５の雄型面状ファスナー２３と複数本の雌型面状ファスナー２４のいずれかとの選択的な係合により、使用者の身体の大きさに応じてクッションＡの幅寸法を自由に調整することができる。
【００２１】
本発明に係るクッションＡは上記構成よりなり、その使用に際しては、クッションカバー２０の内部にＵ字形状に屈曲して収納されるクッション本体１０によって形成された空洞部Ｓ上に使用者が身体を寄りかからせて使用する。尚、その使用態様は、使用者の思いのままの使用態様で使用される。図５は、本発明に係るクッションAの使用態様の一例を示す図面であり、（ａ）は本発明に係るクッションＡを使用者Bが肘当て付きの枕として使用している場合の使用態様を示し、（ｂ）は本発明に係るクッションＡをチェアーとして使用している場合の使用態様を示し、（ｃ）は本発明に係るクッションＡを腰当てとして使用している場合の使用態様を示す。
【００２２】
次に、上記のように構成された本発明に係るクッションＡについて、その作用を説明する。使用に際して、使用者がクッションＡの空洞部Ｓ上に身体を寄りかからせると、使用者の体重によりクッションカバー２０の上位側の布地２０ｂが下方に沈み込み、これに伴いクッション本体１０が圧縮変形される。これにより使用者の身体がクッションカバー２０を介してクッション本体１０により支えられるとともに、クッションカバー２０の上位側の布地２０ｂの張力によりクッションカバー２０内のクッション本体１０の対向する両側半部１０ａ，１０ａが内側に向かって引き寄せられるので、クッション本体１０の両側半部１０ａ，１０ａを身体に押し付ける作用があり、クッション本体１０の両側半部１０ａ，１０ａを身体にフィットさせることができる。従って、クッションＡは、使用者の身体を安定した姿勢で支えることができるとともに、使用者の身体に対して良好なフィット性を得ることができ、長時間使用しても、身体が疲れたり、身体に苦痛を覚えることがない。
【００２３】
以上、本発明の一実施形態を説明したが、本発明は前記実施形態に限定されるものではなく、本発明の要旨の範囲内で種々の変形実施が可能である。例えば、上記実施形態では、クッションカバー２０内にクッション本体１０をＵ字形状に屈曲して収容するようにしているが、クッションカバー２０内にクッション本体１０をＶ字形状、Ｃ字形状等に屈曲して収容するようにしても構わない。因みに、クッションカバー２０内にクッション本体１０をＶ字形状、Ｃ字形状、Ｏ字形状、コ字形状等に屈曲して収容する場合、クッションカバー２０もＶ字形状、Ｃ字形状、Ｏ字形状、コ字形状等に屈曲されたクッション本体１０の外郭形状と同一形状になるように袋状に形成する。また、クッション本体１０を長手方向に２分割してクッションカバー２０内に互いに略平行に対向するように収容するようにしても構わない。また、細長い丸棒状に形成したクッション本体１０をＵ字形状、Ｖ字形状、Ｃ字形状、Ｏ字形状、コ字形状等に屈曲しているが、Ｕ字形状、Ｖ字形状、Ｃ字形状、Ｏ字形状、コ字形状等の袋状に形成された布袋１１の内部に充填物１２を詰め込んでクッション本体をＵ字形状、Ｖ字形状、Ｃ字形状、Ｏ字形状、コ字形状等に形成しても構わない。更に、上記実施形態では、天然綿又は合成繊維綿等を充填物１２として詰め込んでいるが、非通気性の材質で袋状に形成された布袋１１の内部に空気等の気体を充填物１２として充填して密封することによりクッション本体１０を形成しても構わない。
【００２４】
また、上記実施形態では、クッション本体１０の断面形状を円形としているが、楕円形、長円形、非円形等の断面形状でも構わない。
【００２５】
また、上記実施形態では、クッションカバー２０の開口部２１を開閉する開閉手段として、スライドファスナー２２を用いているが、面状ファスナー、ボタン、ホック等を用いても構わない。また、上記実施形態では、クッションカバー２０の開口部２１を開閉手段により封口しているが、縫着して封口することもできる。因みに、クッションカバー２０の開口部２１を開閉手段で封口するクッションは、開閉手段を開閉して簡単にクッション本体１０を出し入れできる特長を有する。
【００２６】
更に、上記実施形態では、クッション１の幅寸法を調整する幅調整手段２５として、面状ファスナーを用いているが、スライドファスナー、ボタン、ホック等を用いても構わない。
【図面の簡単な説明】
【００２７】
【図１】本発明の実施形態を示すクッションの斜視図である。
【図２】図１に示すクッションの分解斜視図である。
【図３】図１のIII−III線における断面図である。
【図４】図１に示すクッションに用いられるクッションカバーの底面図である。
【図５】図４に示すクッションカバーの底面側の斜視図である。
【図６】本発明のクッションの使用態様の一例を示す図面である。
【符号の説明】
【００２８】
Ａ  クッション
１０  クッション本体
１０ａ  半部
１１  布袋
１２  充填物
２０  クッションカバー
２０ａ  下位側の布地
２０ｂ  上位側の布地
２１  開口部
２２  スライドファスナー
２３  雄型面状ファスナー
２４  雌型面状ファスナー
２５  幅調整手段
【図１】
2006055492.tif 000003
【図２】
2006055492.tif 000004
【図３】
2006055492.tif 000005
【図４】
2006055492.tif 000006
【図５】
2006055492.tif 000007
【図６】
2006055492.tif 000008